(57)【要約】【課題】簡単な構造で電子ビームを収束し、きれのよい表示と発光輝度の向上が可能な蛍光表示装置を提供する。【解決手段】  カソード構造体（２０６）を構成する金属部材（２０６ｄ）の開口部（２０６ｆ）を覆う金属メッシュ部材（２０６ｈ）を、電子放出部の方向に突き出した溝形状に形成する。【選択図】  図９
2004214219.tif 000002
【特許請求の範囲】
【請求項１】
電子放出部と、陽極と、前記電子放出部と前記陽極との間に所定距離をおいて配置された制御電極とがそれぞれ少なくとも１つ内蔵され、かつ少なくとも一部が透光性を有する表示面を含むとともに内部が真空排気された外囲器と、
この外囲器の前記表示面側の内壁に塗布され、前記電子放出部から放出され前記陽極電極により加速された電子の衝突によって励起発光する少なくとも１つの蛍光体膜とを備えた蛍光表示装置において、
前記制御電極は、
前記電子放出部から放出される電子を前記表示面側に通過させる開口部を有する金属部材と、
前記開口部を覆うように前記金属部材と前記電子放出部との間に配置され、かつ前記金属部材と電気的に接続された金属メッシュ部材と
により構成され、
前記金属メッシュ部材は、前記金属部材の開口部から前記電子放出部の方向に突き出した溝形状である
ことを特徴とする蛍光表示装置。
【請求項２】
前記蛍光体膜は長方形状であり、前記金属部材の開口部は、前記蛍光体膜の長手方向に長い形状であることを特徴とする請求項１記載の蛍光表示装置。
【請求項３】
前記電子放出部は、通電加熱されて熱電子を放出するフィラメントカソードであることを特徴とする請求項１または２記載の蛍光表示装置。
【請求項４】
前記電子放出部は、カーボンナノチューブから構成されていることを特徴とする請求項１または２記載の蛍光表示装置。
【請求項５】
前記電子放出部は、先端が開口したカーボンナノチューブを備えていることを特徴とする請求項１または２記載の蛍光表示装置。
【請求項６】
発光色の異なる蛍光体膜が隣接して配置されていることを特徴とする請求項１から５のいずれか１項に記載の蛍光表示装置。
【発明の詳細な説明】
【技術分野】
【０００１】
この発明は、電子の衝突により励起発光する蛍光体を利用した蛍光表示装置に関する。
【背景技術】
【０００２】
蛍光表示装置は、少なくとも一方が透明な真空容器の中で、電子放出部から放出される電子を蛍光体に衝突させて発光させ、その光を利用する電子管である。この蛍光表示装置は、電子の働きを制御するためのグリッドを備えた３極管構造のものが最も多く用いられている。このような蛍光表示装置の１種に大画面ディスプレイ装置の画素を構成する画像管がある。
【０００３】
従来の画像管は、図１４に示すように、円筒形のガラスバルブ３０１に透光性を有するフェースガラス３０２が低融点フリットガラス３０３で接着固定された真空容器（外囲器）を備え、この中に蛍光面３０４と陽極電極構体３０５と電子放出部を構成するカソード構体３０６とが配置されている。フェースガラス３０２は、前面側に凸型レンズ状の球面部３０２ａが形成され、周縁部につば状の段差部３０２ｂが形成されている。また、内面３０２ｃの主要面には、蛍光面３０４が形成され、蛍光面３０４の表面にＡｌメタルバック膜３０７が形成されている。
【０００４】
フェースガラス３０２の内面３０２ｃの周辺部には、例えばステンレス材の薄板をプレス成形法により加工して形成された弾性力を有する接触片３０７ａの一端側が挿入されている。接触片３０７ａは、例えば、カーボンあるいは銀と、フリットガラスとの混合体からなる導電性接着材によりＡｌメタルバック膜３０７に接触してフェースガラス３０２の内面３０２ｃの所定部分に接着固定されている。この接触片３０７ａの他端側は、ガラスバルブ３０１の内壁面方向に向けて延在されている。
【０００５】
また、ガラスバルブ３０１底部を構成するステムガラス３０８には、リードピン３０９ａ〜３０９ｅが挿通され、加えて、排気管３０８ａが一体的に形成されている。このステムガラス３０８上のリードピン３０９ａの先端部に陽極リード３１０が溶接により固定され、この陽極リード３１０の先端部に円筒状の陽極電極構体３０５が溶接により固定配置されている。この陽極電極構体３０５は、例えばステンレス材の金属線をリング状に丸めて成形されたリング状陽極３０５ａと、矩形状のステンレス材の薄板をこのリング状陽極３０５ａの外周面に巻き付けて重なり合った部分を２点で溶接して円筒形状に形成された円筒状陽極３０５ｂとから構成されている。
【０００６】
この陽極電極構体３０５は、陽極リード３１０の先端部に対してリング状陽極３０５ａと所定の箇所で溶接され、さらに陽極リード３１０の最先端部分で円筒状陽極３０５ｂの内側との接触部分で溶接されている。さらにこのリング状陽極３０５ａの一部には、Ｂａゲッター３０５ｃが溶接により取り付けられている。
また、リードピン３０９ｂ〜３０９ｅの先端部には、カソードリード３１１ｂ〜３１１ｅが溶接により取り付けられており、このカソードリード３１１ｂ〜３１１ｅの先端部には、カソード構体３０６が溶接により固定配置されている。
【０００７】
カソード構体３０６は、次に示すように構成されている。まず、セラミック基板３０６ａ上の中央部に背面電極３０６ｂが配置されており、この背面電極３０６ｂの上部に所定の間隔をおいて電子放出部であるフィラメントカソード３０６ｃが配置されている。さらに、これらを覆うように、だ円状の開口部３０６ｆを有するグリッドハウジング３０６ｄが、セラミック基板３０６ａ上に搭載されている。また、グリッドハウジング３０６ｄの蛍光面３０４側には、開口部３０６ｆを覆ってメッシュ状グリッド３０６ｅが溶接されている。
【０００８】
以上示したように構成される画像管は、まず、外部回路からリードピン３０９ｃ，３０９ｄに電圧（加熱電源）を供給することで、カソードリード３１１ｃ，３１１ｄを介し、フィラメントカソード３０６ｃに所定の電圧を印加して熱電子が放出される状態とする。また、外部回路からリードピン３０９ｂに電圧を供給することで、カソードリード３１１ｂを介し、背面電極３０６ｂにフィラメントカソード３０６ｃに対して負の電位を印加する。加えて、外部回路からリードピン３０９ｅに電圧を供給することで、カソードリード３１１ｅを介し、グリッドハウジング３０６ｄにフィラメントカソード３０６ｃに対して正の電位を印加することで、グリッドハウジング３０６ｄのメッシュ状グリッド３０６ｅより電子ビームを放出させる。
【０００９】
そして、外部回路からリードピン３０９ａに高電圧を供給し、陽極リード３１０→陽極電極構体３０５（円筒状陽極３０５ｂ）→接触片３０７ａの経路をそれぞれ導通してＡｌメタルバック膜３０７にその高電圧が印加された状態とすることで、放出された電子を円筒状陽極３０５ｂにより加速し、Ａｌメタルバック膜３０７を貫通させて蛍光面３０４に衝突させる。この結果、蛍光面３０４は電子衝撃で励起し、蛍光面３０４を構成する蛍光体に応じた発光色で発光する。この発光がフェースガラス３０２を透過して前面側の球面部３０２ａから出射され発光表示されることになる。
【発明の開示】
【発明が解決しようとする課題】
【００１０】
このような画像管は、メッシュ状グリッドを出た電子ビームが蛍光面に達するまでにビーム径がひろがるため、発光面積が広くなり、きれのよい表示が得られないという問題があった。また、ビーム径がひろがることにより発光輝度向上の妨げとなっていた。
この発明は、以上のような問題点を解消するためになされたものであり、簡単な構造で電子ビームを収束し、きれのよい表示と発光輝度の向上が可能な蛍光表示装置を提供することを目的とする。
【課題を解決するための手段】
【００１１】
上述した課題を解決するために、この発明の蛍光表示装置は、電子放出部と、陽極と、電子放出部と陽極との間に所定距離をおいて配置された制御電極とがそれぞれ少なくとも１つ内蔵され、かつ少なくとも一部が透光性を有する表示面を含むとともに内部が真空排気された外囲器と、この外囲器の表示面側の内壁に塗布され、電子放出部から放出され陽極により加速された電子の衝突によって励起発光する少なくとも１つの蛍光体膜とを備え、制御電極が、電子放出部から放出される電子を表示面側に通過させる開口部を有する金属部材と、開口部を覆うように金属部材と電子放出部との間に配置されかつ金属部材と電気的に接続された金属メッシュ部材とにより構成されていることによって特徴づけられる。
【００１２】
この場合、金属メッシュ部材の一構成例は、中央部が金属部材の開口部から電子放出部の方向に突き出した形状に整形されている。また、金属メッシュ部材の別の構成例は、平面状の格子部材と、この格子部材を金属部材の開口部から電子放出部の方向に離間させるためのスペーサ部材とにより構成されている。
前述した蛍光表示装置の金属部材の一構成例は、開口部が円形に形成されている。また、金属部材の別の構成例は、開口部がだ円形に形成されている。
【００１３】
蛍光体膜が長方形状をした蛍光表示装置の金属部材の一構成例は、開口部が蛍光体膜の長手方向に長い形状に形成されている。
前述した蛍光表示装置の電子放出部の一構成例は、通電加熱されて熱電子を放出するフィラメントカソードで構成されている。また、電子放出部の別の構成例は、カーボンナノチューブで構成されている。また、電子放出部のさらに別の構成例は、先端が開口したカーボンナノチューブを備えている。
前述した蛍光表示装置の表示面の一構成例は、発光色の異なる蛍光体膜が隣接して配置されている。
【発明の効果】
【００１４】
以上説明したように、この発明の蛍光表示装置は、電子放出部と、陽極と、電子放出部と陽極との間に所定距離をおいて配置された制御電極とがそれぞれ少なくとも１つ内蔵され、かつ少なくとも一部が透光性を有する表示面を含むとともに内部が真空排気された外囲器と、この外囲器の表示面側の内壁に塗布され、電子放出部から放出され陽極により加速された電子の衝突によって励起発光する少なくとも１つの蛍光体膜とを備え、制御電極が、電子放出部から放出される電子を表示面側に通過させる開口部を有する金属部材と、開口部を覆うように金属部材と電子放出部との間に配置されかつ金属部材と電気的に接続された金属メッシュ部材とから構成されるようにしたので、開口部近傍の等電位面が、金属メッシュ部材側に湾曲する。これにより、開口部周辺を通過する電子が開口部の中心方向に偏向されるので、蛍光面に電子ビームが収束してきれのよい発光表示と発光輝度の向上が可能となる効果が得られる。
【発明を実施するための最良の形態】
【００１５】
以下に図を用いてこの発明の実施の形態を説明する。
はじめに、この発明の蛍光表示装置における第１の参考例について説明する。
図１は、この発明の第１の参考例である画像管の構成を示し、同図において（ａ）は全体の構成、（ｂ）はメッシュ状グリッドを有するグリッドハウジングの上面を示す。この参考例における画像管は、円筒形のガラスバルブ１０１にフェースガラス１０２が低融点フリットガラス１０３で接着固定されて真空容器（外囲器）が構成されており、この中に蛍光面１０４と陽極電極構体１０５と電子放出部を構成するカソード構体１０６とが配置されている。
【００１６】
この場合、フェースガラス１０２は、前面側に凸型レンズ状の球面部１０２ａが形成され、周縁部につば状の段差部１０２ｂが形成されている。このフェースガラス１０２の内面１０２ｃには、図示していないが、その周辺部分の一部にくぼみ状の凹部が形成されている。また、この内面１０２ｃの主要面には、蛍光面１０４が形成され、この蛍光面１０４表面にはＡｌメタルバック膜１０７が形成されている。なお、上述した凹部内には蛍光面１０４は形成されず、Ａｌメタルバック膜１０７のみが形成される構成となっている。この凹部内には、例えばステンレス材の薄板をプレス成形法により加工して形成された弾性力を有する接触片１０７ａの一端側が挿入されている。この接触片１０７ａは、例えばカーボンあるいは銀と、フリットガラスとの混合体からなる導電性接着材で、その凹部の部分に接着固定することで形成する。この接触片１０７ａの他端側は、ガラスバルブ１０１の内壁面方向に向けて延在されている。
【００１７】
ここで、蛍光面１０４は、白色蛍光体として、例えば、Ｙ2Ｏ2Ｓ：Ｔｂ＋Ｙ2Ｏ3：Ｅｕ混合蛍光体を溶媒に溶かしたペーストを内面１０２ｃに２０μｍ程度の厚さで印刷塗布した後、乾燥して形成する。なお、前述した図示していない凹部の内部には蛍光面１０４は塗布しない状態としておく。Ａｌメタルバック膜１０７は、蛍光面１０４の表面に蒸着により厚さ１５０ｎｍ程度にアルミニウム膜を成膜して形成する。ここで、凹部の内部には蛍光面１０４は塗布されていないので、Ａｌメタルバック膜１０７のみが形成された状態となる。蛍光面１０４及びＡｌメタルバック膜１０７を形成した後、フェースガラス１０２を、例えば電気炉などにより５６０℃で３０分程度空気中で焼成し、塗布膜中の溶媒類を除去する。このＡｌメタルバック膜１０７は、厚さが薄すぎるとピンホールが増加して蛍光面１０４の反射が減少する。一方、その厚さが厚すぎると、蛍光面１０４への電子ビームの侵入が阻害されて発光が弱くなる。したがって、Ａｌメタルバック膜１０７の厚さのコントロールは重要である。このため、前述したように、Ａｌメタルバック膜１０７は厚さを１５０ｎｍ程度とした方がよい。
【００１８】
フェースガラス１０２は、例えば、直径約２０ｍｍ，長さ約５０ｍｍで両端が切断されたガラスバルブ１０１の一方の開口端に、つば状の段差部１０２ｂがはめ込まれて低融点フリットガラス１０３で接着固定されている。これは、接着面に低融点フリットガラスペーストを塗布し、フェースガラス１０２の段差部１０２ｂ部分とガラスバルブ１０１の開口端とを低融点フリットガラスペーストを介してつき合わせ、これらを加熱焼成して形成される。なお、当然であるが、蛍光面１０４と陽極電極構体１０５と電子放出部を構成するカソード構体１０６とを配置した後、フェースガラス１０２をガラスバルブ１０１に接着固定する。
【００１９】
また、ガラスバルブ１０１底部はステムガラス１０８で構成されており、このステムガラス１０８には、リードピン１０９ａ〜１０９ｅが挿通され、加えて排気管１０８ａが一体的に形成されている。このステムガラス１０８上のリードピン１０９ａの先端部に陽極リード１１０が溶接により固定され、この陽極リード１１０の先端部に円筒状の陽極電極構体（電子加速電極）１０５が溶接により固定配置されている。この陽極電極構体１０５は、例えば、線径が約０．５ｍｍのステンレス材の金属線をリング状に丸めて成形されたリング状陽極１０５ａと、板厚０．０１〜０．０２ｍｍの矩形状のステンレス板をこのリング状陽極１０５ａの外周面に巻き付けて重なり合った部分を２点で溶接して円筒形状に形成された円筒状陽極１０５ｂとから構成されている。
【００２０】
この陽極電極構体１０５は、リング状陽極１０５ａが陽極リード１１０の先端部と所定の箇所で溶接されており、円筒状陽極１０５ｂの内側が陽極リード１１０の最先端部分と溶接されている。また、リング状陽極１０５ａの一部にはＢａゲッター１０５ｃが溶接により取り付けられている。また、リードピン１０９ｂ〜１０９ｅの先端部には、カソードリード１１１ｂ〜１１１ｅが溶接により取り付けられており、このカソードリード１１１ｂ〜１１１ｅの先端部には、カソード構体１０６が溶接により固定配置されている。なお、図１（ａ）において、陽極電極構体１０５、陽極リード１１０、カソードリード１１１ｂ〜１１１ｅ、リードピン１０９ａ〜１０９ｅ及び排気管１０８ａは、断面を示していない。
以上のことは、従来の画像管とほぼ同様である。
【００２１】
カソード構体１０６は、セラミック基板１０６ａとセラミック基板１０６ａ上の中央部に配置された背面電極１０６ｂと背面電極１０６ｂの上方に所定の間隔をおいて配置されたフィラメントカソード１０６ｃとこれらを覆うようにセラミック基板１０６ａ上に搭載されたグリッドハウジング１０６ｄとから構成されている。背面電極１０６ｂは、ステンレス板材をプレス成形した外形が直方体状のキャップであり、セラミック基板１０６ａに設けられた図示されない取付穴を通してカソードリード１１１ｃに接続されている。電子放出部であるフィラメントカソード１０６ｃは、セラミック基板１０６ａ上に取り付けられた２つのフィラメントサポート１０６ｊで支持されており、２つのフィラメントサポート１０６ｊは、それぞれカソードリード１１１ｂ，１１１ｄに接続されている。
【００２２】
グリッドハウジング１０６ｄは、外形が直方体状のキャップであり、フィラメントカソード１０６ｃに対向する部分に長径６ｍｍ、短径４ｍｍのだ円形の開口部１０６ｆが設けられている。この開口部１０６ｆとフィラメントカソード１０６ｃの間にはメッシュ状グリッド１０６ｅが配置されており、このメッシュ状グリッド１０６ｅは、開口部１０６ｆとの間に所定の間隔を保持するためのスペーサ１０６ｉを介してグリッドハウジング１０６ｄに取り付けられている。ここで、グリッドハウジング１０６ｄとスペーサ１０６ｉとメッシュ状グリッド１０６ｅは、共にステンレス材で形成されており、互いに溶接されてメッシュ状グリッド１０６ｅがスペーサ１０６ｉとグリッドハウジング１０６ｄを介してカソードリード１１１ｅに導通接続されている。なお、このグリッドハウジング１０６ｄは、板厚が２００μｍ程度のステンレス板材をプレス成形して形成される。
【００２３】
以上示したように構成される画像管は、まず、外部回路からリードピン１０９ｂ，１０９ｄに電圧（加熱電源）を供給することで、カソードリード１１１ｂ，１１１ｄを介し、フィラメントカソード１０６ｃに所定の電位を印加して熱電子が放出される状態とする。また、外部回路からリードピン１０９ｃに電圧を供給することで、カソードリード１１１ｃを介し、背面電極１０６ｂにフィラメントカソード１０６ｃに対して負の電位を印加する。加えて、外部回路からリードピン１０９ｅに電圧を供給することで、カソードリード１１１ｅを介し、グリッドハウジング１０６ｄにフィラメントカソード１０６ｃに対して正の電位を印加することで、グリッドハウジング１０６ｄのメッシュ状グリッド１０６ｅより電子ビームを放出させる。
【００２４】
さらに、外部回路からリードピン１０９ａに高電圧を供給し、陽極リード１１０→陽極電極構体１０５（円筒状陽極１０５ｂ）→接触片１０７ａの経路をそれぞれ導通してＡｌメタルバック膜１０７にその高電圧が印加された状態とすることで、放出された電子を円筒状陽極１０５ｂにより加速し、Ａｌメタルバック膜１０７を貫通させて蛍光面１０４に衝突させる。この結果、蛍光面１０４は電子衝撃で励起し、蛍光面１０４を構成する蛍光体に応じた発光色で発光する。この発光がフェースガラス１０２を透過して前面側の球面部１０２ａから出射され発光表示されることになる。
【００２５】
この参考例では、図２に示すように、グリッドハウジング１０６ｄとメッシュ状グリッド１０６ｅの間に段差が生じるように構成したので、開口部１０６ｆ近傍の等電位面１３０が、メッシュ状グリッド１０６ｅ側に湾曲する。これにより、開口部１０６ｆ周辺を通過する電子が開口部１０６ｆの中心方向に偏向されるので、蛍光面１０４に電子ビームが収束して点状光源として利用できる輝度ときれのよい発光表示が可能となる。この場合、Ａｌメタルバック膜１０７と開口部１０６ｆとの間隔を２５ｍｍ、メッシュ状グリッド１０６ｅと開口部１０６ｆとの間隔を０．７〜１．５ｍｍとし、Ａｌメタルバック膜１０７に印加する陽極電圧を１０ＫＶ、メッシュ状グリッド１０６ｅに印加するグリッド電圧を３００〜５００Ｖとした。この結果、フェースガラス１０２の直径約２０ｍｍに対して、蛍光面１０４の発光部分が５ｍｍの領域に絞り込まれた。この参考例によれば、スペーサ１０６ｉの厚さを変えることで電子ビーム１３１の収束の度合いを容易に調節できるという利点がある。
【００２６】
次に、この発明の蛍光表示装置における第２の参考例について説明する。
図３は、この発明の第２の参考例である画像管の構成を示し、同図において（ａ）は全体の構成、（ｂ）はメッシュ状グリッドを有するグリッドハウジングの上面を示す。なお、図１と同一符号は同一部分を示す。この画像管が図１に示したものと異なる点は、メッシュ状グリッド１０６ｈが凹に整形されて直接グリッドハウジング１０６ｄに取り付けられていることである。この場合、メッシュ状グリッド１０６ｈは、蛍光面１０４に電子ビームが収束するように、所定の曲率でフィラメントカソード１０６ｃ側に湾曲するように整形されている。
【００２７】
この参考例によっても、図４に示すように、開口部１０６ｆ近傍の等電位面１３０が、メッシュ状グリッド１０６ｈ側に湾曲し、開口部１０６ｆを通過する電子が開口部１０６ｆの中心方向に偏向されるので、蛍光面１０４に電子ビーム１３１が収束して点状光源として利用できる輝度ときれのよい発光表示が可能となる。この参考例によれば、湾曲したメッシュ状グリッド１０６ｈをグリッドハウジング１０６ｄに溶接するだけでよいので、構造が簡単で組立が容易にできるという利点がある。
【００２８】
次に、この発明の蛍光表示装置における第３の参考例について説明する。
図５は、この発明の第３の参考例である画像管の構成を示し、同図において（ａ）は全体の構成、（ｂ）〜（ｅ）は電子放出部の詳細、（ｆ）はメッシュ状グリッドを有するグリッドハウジングの上面を示す。なお、図１と同一符号は同一部分を示す。この画像管が図１に示したものと異なる点は、開口部１０６ｆを円形にしたことと、カソード構体１０６の電子放出部にカーボンナノチューブを電子源とした電界放出型電子放出源を用いたことである。
【００２９】
この参考例では、このカソード構体１０６を次のように構成した。セラミック基板１０６ａ上の中央部に外形が直方体状の基板電極１２６が配置されており、この基板電極１２６からセラミック基板１０６ａに設けられた図示されない貫通穴を通してセラミック基板１０６ａの下側に接続配線が引き出されてカソードリード１１１ｆに接続されている。また、図５（ｂ）に拡大表示したように、基板電極１２６上面の約３ｍｍφの領域にはカーボンナノチューブの集合体からなる長さ数ｍｍの針形状の柱状グラファイト１２１が、その長手方向をほぼ蛍光面１０４の方向に向けて導電性接着剤１２２により固定配置されている。
【００３０】
この柱状グラファイト１２１の固定は、例えば、導電性接着剤１２２を介して柱状グラファイト１２１を基板電極１２６上に配置し、導電性接着剤１２２の溶剤などを揮発させ、その後、空気中で４００〜６００℃程度に１５〜６０分間程度加温して焼成すればよい。このように、酸素が存在する雰囲気で焼成を行うことで、製造過程で副生成物などとして柱状グラファイト１２１に付着している炭素粉を、焼失させることができる。この炭素粉が残留していると、振動などにより飛散し、悪影響を及ぼす原因となる場合がある。なお、この焼成は、例えば、０．１Ｐａ程度に真空排気された雰囲気で行うようにしてもよい。
【００３１】
この柱状グラファイト１２１は、図５（ｃ）に示すように、カーボンナノチューブ１２１ａが、ほぼ同一方向を向いて集合した構造体である。なお、この図５（ｃ）は、柱状グラファイト１２１を途中で切った断面を見る斜視図である。
カーボンナノチューブ１２１ａは、例えば図５（ｄ）に示すように、完全にグラファイト化して筒状をなし、その直径は４〜５０ｎｍ程度であり、その長さはミクロンオーダである。そして、図５（ｅ）に示すように、その先端部は五員環が入ることにより閉じている。
【００３２】
このカーボンナノチューブは、ヘリウムガス中で２本の炭素電極を１〜２ｍｍ程度離した状態で直流アーク放電を起こすことで、陽極側の炭素が蒸発して陰極側の炭素電極先端に凝集した堆積物中に形成できる。すなわち、炭素電極間のギャップを１ｍｍ程度に保った状態で、ヘリウム中で安定なアーク放電を持続させ、陽極の炭素電極の直径とほぼ同じ径をもつ円柱状の堆積物を陰極先端に形成する。この円柱状の堆積物は、グラファイトの多結晶体からなる外側の固い殻と、その内側のもろくて黒い芯の２つの領域から構成されており、内側の芯は堆積物柱の長さ方向にのびた繊維状の組織をもっている。この繊維状の組織が上述した柱状グラファイトであり、堆積物柱を切り出すことなどにより、柱状グラファイトを得ることができる。
【００３３】
この柱状グラファイトにおいて、カーボンナノチューブは、炭素の多面体微粒子（ナノポリヘドロン：nanopolyhedoron）とともに、複数が集合している。このカーボンナノチューブは、図５（ｄ），（ｅ）で模式的に示したグラファイトの単層が円筒状に閉じた形状と、複数のグラファイトの層が入れ子構造的に積層し、それぞれのグラファイト層が円筒状に閉じた同軸多層構造となっている形状とがあるが、どちらを用いてもよい。
【００３４】
また、これらのカーボンナノチューブの中心軸部分は空洞になっているので、途中で折れて開口した先端部をもつカーボンナノチューブを得ることが可能である。この場合、先端がより先鋭になり、より高い電界集中が得られて電子放出量を増大できるので、このような先端が開口したカーボンナノチューブを使用するようにしてもよい。このような先端が開口したカーボンナノチューブは、柱状グラファイトを途中で切断するか、あるいは折って破断させたりして得られるので、このように加工した柱状グラファイトを切断面あるいは破断面が蛍光面１０４の方向へ向くように導電性接着剤１２２で固定配置すればよい。また、中心軸部分の空洞内に炭素が入り込んだカーボンナノチューブが柱状グラファイト中に得られることがあるが、このようなカーボンナノチューブを含むものであっても電子放出源として使用できることは言うまでもない。この場合、上述した先端が開口したカーボンナノチューブとして使用するようにしてもよい。
【００３５】
以上示したように、この参考例においては、基板電極１２６と柱状グラファイト１２１とで電子放出部が構成されており、柱状グラファイト１２１中に多数含まれるカーボンナノチューブ１２１ａの先端から電子が放出される。また、この電子放出部を覆うようにグリッドハウジング１０６ｄが、セラミック基板１０６ａ上に搭載されている。グリッドハウジング１０６ｄは、開口部１０６ｆを円形とした以外は、図１で示したものと同じものであるので説明を省略する。
【００３６】
このように構成される画像管は、まず、外部回路からリードピン１０９ｆ，１０９ｅに電圧を供給することで、カソードリード１１１ｆ，１１１ｅを介して基板電極１２６とグリッドハウジング１０６ｄとの間に電界をかける。これにより、基板電極１２６上に固定配置された柱状グラファイト１２１のカーボンナノチューブ１２１ａ先端に高電界を集中させ、電子を引き出してメッシュ状グリッド１０６ｅより放出させる。
【００３７】
また、外部回路からリードピン１０９ａに高電圧を供給し、陽極リード１１０→陽極電極構体１０５（円筒状陽極１０５ｂ）→接触片１０７ａの経路をそれぞれ導通してＡｌメタルバック膜１０７にその高電圧が印加された状態とすることで、放出された電子を円筒状陽極１０５ｂにより加速し、Ａｌメタルバック膜１０７を貫通させて蛍光面１０４に衝突させる。この結果、蛍光面１０４は電子衝撃で励起し、蛍光面１０４を構成する蛍光体に応じた発光色で発光する。この発光がフェースガラス１０２を透過して前面側の球面部１０２ａから出射され発光表示されることになる。
【００３８】
この参考例によれば、図６に示すように、開口部１０６ｆ近傍の等電位面１３０がメッシュ状グリッド１０６ｅ側に湾曲するので、開口部１０６ｆ近傍を通過する電子が開口部１０６ｆの中心方向に偏向され、蛍光面１０４に電子ビーム１３１が収束される。これにより、点状光源として利用できる輝度ときれのよい発光表示が可能となる。この場合、スペーサ１０６ｉの厚さを変えることで電子ビーム１３１の収束の度合いを容易に調節できるという利点がある。
【００３９】
この参考例では、開口部１０６ｆを円形としてＡｌメタルバック膜１０７と開口部１０６ｆとの間隔を２５ｍｍ、メッシュ状グリッド１０６ｅと開口部１０６ｆとの間隔を０．７〜１．５ｍｍ、メッシュ状グリッド１０６ｅと柱状グラファイト１２１先端部との間隔を０．５〜１ｍｍ程度とした。また、Ａｌメタルバック膜１０７に印加する陽極電圧を１０ＫＶ、メッシュ状グリッド１０６ｅに印加するグリッド電圧を３００〜５００Ｖ、基板電極１２６に印加するカソード電圧を０Ｖとした。この結果、フェースガラス１０２の直径約２０ｍｍに対して、蛍光面１０４の発光部分が直径５ｍｍの領域に絞り込まれた。なお、メッシュ状グリッド１０６ｅと柱状グラファイト１２１先端部との間隔は、放電しない範囲でなるべく近づけた方がよい。
【００４０】
この参考例による画像管は、第１の参考例における効果に加えて、電子放出部にカーボンナノチューブを用いた電界放出型電子放出源を使用したので、ぜい弱なカソードフィラメントのような部品を必要としないため簡便に取り扱うことができ、容易に製造することが可能となるという効果がある。また、カソードフィラメントの加熱電源も必要としないので、リードピンの数が減らせ、より製造を簡略化できるという効果もある。
【００４１】
次に、この発明の蛍光表示装置における第４の参考例について説明する。図７は、この発明の第４の参考例である画像管の構成を示し、同図において（ａ）は全体の構成、（ｂ）はメッシュ状グリッドを有するグリッドハウジングの上面を示す。なお、図１〜図５と同一符号は同一部分を示す。この画像管が図５に示したものと異なる点は、メッシュ状グリッド１０６ｈが凹に整形されてグリッドハウジング１０６ｄに直接取り付けられていることである。この場合、メッシュ状グリッド１０６ｈは、蛍光面１０４に電子ビームが収束するように、所定の曲率で柱状グラファイト１２１側に湾曲するように整形されている。
【００４２】
この参考例によっても、図８に示すように、開口部１０６ｆ近傍の等電位面１３０がメッシュ状グリッド１０６ｈ側に湾曲し、開口部１０６ｆ近傍を通過する電子が開口部１０６ｆの中心方向に偏向されるので、蛍光面１０４に電子ビーム１３１が収束して点状光源として利用できる輝度ときれのよい発光表示が可能となる。この参考例によれば、湾曲したメッシュ状グリッド１０６ｈをグリッドハウジング１０６ｄに溶接するだけでよいので、構造が簡単で組立が容易にできるという利点がある。
【００４３】
次に、この発明の蛍光表示装置における第１の実施の形態について説明する。
図９は、この発明の第１の実施の形態である画像管の構成を示し、同図において（ａ）は全体の構成、（ｂ）はグリッドハウジングのメッシュ状グリッド取付部分の構成を示す。また、図１０にこの画像管の部分断面を示す。この実施の形態における画像管は、前面パネル２０２と背面パネル２０８とが枠状の側板２０１を介して対向配置され、これらが低融点フリットガラス２０３で接着固定され、内部が気密封止されて真空容器（外囲器）が形成されており、この中に、蛍光面２０４、陽極電極構体２０５、および電子放出部を構成するカソード構体２０６が配置されている。なお、当然であるが、それら蛍光面２０４、陽極電極構体２０５、および電子放出部を構成するカソード構体２０６を配置した後、前面パネル２０２と背面パネル２０８と枠状の側板２０１とを接着固定する。
【００４４】
前面パネル２０２の内面には、赤色発光蛍光体層２０４Ｒと緑色発光蛍光体層２０４Ｇと青色発光蛍光体層２０４Ｂとからなる画素が４行４列のマトリクス状に配置された蛍光面２０４が形成されており、各蛍光体層２０４Ｒ，２０４Ｇ，２０４Ｂの周囲には各蛍光体層２０４Ｒ，２０４Ｇ，２０４Ｂに接触して電位を与えるための陽極配線２１４が形成され、各蛍光体層２０４Ｒ，２０４Ｇ，２０４Ｂ表面には陽極配線２１４に接触するようにＡｌメタルバック膜２０７が形成されている。また、各蛍光体層２０４Ｒ，２０４Ｇ，２０４Ｂ間および各画素間には、発光部を分離して表示のコントラストを向上するための黒色絶縁層２１３が形成されている。
【００４５】
ここで、各蛍光体層２０４Ｒ，２０４Ｇ，２０４Ｂの平面形状は長方形状であり、１画素の平面形状が正方形状になるように赤色発光蛍光体層２０４Ｒと緑色発光蛍光体層２０４Ｇと青色発光蛍光体層２０４Ｂとが短辺方向にこの順で配置されている。これらに用いる蛍光体は、カラーブラウン管などに用いられる電子線励起蛍光体でよく、例えば、赤色発光蛍光体層２０４ＲにはＹ2Ｏ3：Ｅｕ、緑色発光蛍光体層２０４ＧにはＺｎＳ：Ｃｕ、青色発光蛍光体層２０４ＢにはＺｎＳ：Ａｇを用いるとよい。
【００４６】
また、各蛍光体層２０４Ｒ，２０４Ｇ，２０４Ｂを囲むように、金属板陽極２０５ｂを格子状に配置した陽極電極構体２０５が設けられている。この陽極電極構体２０５は、陽極配線２１４に接触してＡｌメタルバック膜２０７に接続されるとともに、中心部の金属板陽極２０５ｂが陽極リード２１０の先端部に溶接固定されている。陽極リード２１０は、カソード構体２０６の中心に設けられた貫通孔を通して背面パネル２０８の中心に挿通された陽極リードピン（図示せず）の先端部に溶接固定されている。陽極リードピンは、背面パネル２０８の外側に接着固定されたプラグ２１６の中心にはめ込まれている。プラグ２１６は、外部回路と接続するためのコネクタであり、陽極リードピンの周囲にカソード構体２０６の各電極に接続された複数のリードピン２０９が配置されている。
【００４７】
一方、背面パネル２０８上には、各蛍光体層２０４Ｒ，２０４Ｇ，２０４Ｂに対応して電子放出部が形成されたカソード構体２０６が配置されている。このカソード構体２０６は、セラミック基板２０６ａと、セラミック基板２０６ａ上に設けられた背面電極２０６ｂとフィラメントカソード２０６ｃとグリッドハウジング２０６ｄとからなる電子放出部と、これら電子放出部の電極を背面パネル２０８下面側に配置されたプラグ２１６にはめ込まれたリードピン２０９に接続するための電極配線２１１とから構成されている。セラミック基板２０６ａは、矩形状で、中心部に陽極リード２１０を通すための貫通孔が設けられており、低融点フリットガラス２１５で背面パネル２０８に接着固定されいる。
【００４８】
背面電極２０６ｂは、セラミック基板２０６ａ上に各蛍光体層２０４Ｒ，２０４Ｇ，２０４Ｂと１対１に対応して配置された平面形状が長方形状の金属膜で形成されており、各背面電極２０６ｂは同じ金属膜の配線で行方向に接続されている。また、背面電極２０６ｂ間のセラミック基板２０６ａ上及び上記金属膜の配線上には、絶縁膜２１２が形成されている。フィラメントカソード２０６ｃは、直径７〜２０μｍのタングステン線に電子放出物質を塗布して形成しており、セラミック基板２０６ａ上に背面電極２０６ｂごとに背面電極２０６ｂを挟んで列方向に配置された対のフィラメントサポート（図示せず）により背面電極２０６ｂ上に所定間隔を設けて固定されている。電子放出物質としては、例えば、酸化バリウム・酸化カルシウム・酸化ストロンチウムからなるいわゆる三元酸化物が用いられる。
【００４９】
グリッドハウジング２０６ｄは、背面電極２０６ｂとフィラメントカソード２０６ｃを１列分まとめて覆う外形が直方体状のキャップであり、セラミック基板２０６ａ上に所定の列数分搭載されている。この場合、１画素列が赤・緑・青の３列の蛍光体で構成されるので、４画素列からなるこの画像管では１２個のグリッドハウジング２０６ｄが搭載される。これらのグリッドハウジング２０６ｄには、フィラメントカソード２０６ｃに対向する部分に長方形状の開口部２０６ｆが設けられており、図９（ｂ）に示すように、開口部２０６ｆ側からフィラメントカソード２０６ｃ側に突き出した溝形状のメッシュ状グリッド２０６ｈが取り付けられている。
【００５０】
このメッシュ状グリッド２０６ｈは、溝の底面が上記開口部２０６ｆの短辺よりも短い短辺と上記開口部２０６ｆの長辺よりも長い長辺からなる長方形状の平面となり、溝の側面が斜面となるように形成されている。ここで、グリッドハウジング２０６ｄとメッシュ状グリッド１０６ｈは、共にステンレス材で形成されており、メッシュ状グリッド２０６ｈがグリッドハウジング１０６ｄの内面に溶接されている。なお、グリッドハウジング２０６ｄの外形は、開口部２０６ｆとメッシュ状グリッド２０６ｈが同じであればすべて同じでなくともよく、必要に応じて変形させても良い。
【００５１】
また、背面電極２０６ｂとフィラメントカソード２０６ｃを支持するフィラメントサポートとグリッドハウジング２０６ｄは、セラミック基板２０６ａに設けられた開口部（図示せず）から一部がセラミック基板２０６ａ下面に引き出され、この下面に設けられた対応する電極配線２１１にそれぞれ接続されている。これらの電極配線２１１は、背面パネル２０８と枠状の側板２０１の間から低融点フリットガラス２０３を貫通して真空容器外へ引き出され、プラグ２１６にはめ込まれたリードピン２０９に接続されている。
【００５２】
このように構成される画像管は、まず、外部回路からフィラメントカソード２０６ｃに所定の電圧を印加して熱電子が放出される状態とするとともに、陽極電極構体２０５に１０ＫＶ程度の高電圧を供給し、Ａｌメタルバック膜２０７にこの高電圧が印加された状態としておく。このような状態において、グリッドハウジング２０６ｄにフィラメントカソード２０６ｃに対して正の電圧を印加しておき、背面電極２０６ｂに印加する電圧をフィラメントカソード２０６ｃに対して負の電位とすると、グリッドハウジング２０６ｄのメッシュ状グリッド２０６ｈより電子ビームが放出され、金属板陽極２０５ｂにより加速されて、Ａｌメタルバック膜２０７を貫通して蛍光面２０４に衝突する。これにより、蛍光面２０４を構成する蛍光体が励起されて蛍光体に応じた発光色で発光する。この発光が前
面パネル２０２を透過して前面側から出射され発光表示されることになる。
【００５３】
また、背面電極２０６ｂに印加する電圧をフィラメントカソード２０６ｃに対して正の電位とすると電子ビームの放出が抑止されるので発光表示はされない。したがって、背面電極２０６ｂに印加する電圧を制御することにより電子ビームの電流を制御して、表示画素の点灯・消灯と点灯時の輝度調節を行うことができるので、各列のグリッドハウジング２０６ｄに順次正の電位が印加されるように走査させるとともに、各行の背面電極２０６ｂに印加する電圧を制御することでマトリクス状に配置された画素の発光を制御して所望のパターンを表示することができる。この場合、選択されていないグリッドハウジング２０６ｄは、フィラメントカソード２０６ｃに対して負の電位として不要な発光を抑止するようにしておくことは言うまでもない。
【００５４】
この実施の形態では、長方形状の各蛍光体層２０４Ｒ，２０４Ｇ，２０４Ｂに対応してグリッドハウジング２０６ｄのフィラメントカソード２０６ｃに対向する部分に長方形状の開口部２０６ｆを設けて、開口部２０６ｆ側からフィラメントカソード２０６ｃ側に突き出した溝形状のメッシュ状グリッド２０６ｈを取り付けた。このメッシュ状グリッド２０６ｈは、溝の底面が上記開口部２０６ｆの短辺よりも短い短辺と上記開口部２０６ｆの長辺よりも長い長辺からなる長方形状の平面からなり、溝の側面が斜面となるように構成されている。
【００５５】
これにより、図１１に示すように、開口部２０６ｆ近傍の等電位面２３０が、メッシュ状グリッド２０６ｈに沿うように湾曲するので、開口部２０６ｆの中心線から離れた周辺を通過する電子が開口部２０６ｆの中心線方向に偏向されて、蛍光面２０４に電子ビーム２３１が線状に収束する。このため、蛍光体を励起する電子ビーム２３１の密度が高くなり輝度が向上する。また、電子ビーム２３１が線状に収束することにより、きれのよい発光表示と隣接する蛍光体のもれ発光防止が可能となる。この実施の形態によれば、メッシュ状グリッド２０６ｈの底面とグリッドハウジング２０６ｄの開口部２０６ｆとの距離と、メッシュ状グリッド２０６ｈの斜面の傾きを変えることで電子ビーム２３１の収束の度合いを調節できる。
【００５６】
次に、この発明の蛍光表示装置における第２の実施の形態について説明する。
図１２は、この発明の第２の実施の形態である画像管の構成を示す部分断面図であり、同図において図１０と同一符号は同一部分を示す。この画像管が第１の実施の形態に示した画像管と異なる点は、カソード構体の電子放出部にカーボンナノチューブを電子源とした電界放出型電子放出源を用いたことである。
【００５７】
このカソード構体２０６は、セラミック基板２０６ａと、セラミック基板２０６ａ上に設けられた基板電極２２１と電子放出層２２２とグリッドハウジング２０６ｄとからなる電子放出部と、これら電子放出部の電極を背面パネル２０８下面側に配置されたプラグ２１６にはめ込まれたリードピン２０９に接続するための電極配線２１１とから構成されている。セラミック基板２０６ａは、矩形状で、中心部に陽極リード２１０を通すための貫通孔が設けられており、低融点フリットガラス２１５で背面パネル２０８に接着固定されている。
【００５８】
基板電極２２１は、セラミック基板２０６ａ上に各蛍光体層２０４Ｒ，２０４Ｇ，２０４Ｂと１対１に対応して配置された平面形状が長方形状の導電膜で形成されており、各基板電極２２１は同じ導電膜の配線で行方向に接続されている。この導電膜は、１０μｍ程度の厚さとなるように銀あるいはカーボンを導電材料として含んだ導電性ペーストを所定のパターンでセラミック基板２０６ａ上にスクリーン印刷した後、焼成して形成している。この場合、基板電極２２１は、前述した印刷で形成するものに限られるものではなく、例えば、周知のスパッタリング法とエッチング法を用いて形成された厚さ１μｍ程度のアルミニウム薄膜で構成してもよい。
【００５９】
また、基板電極２２１間のセラミック基板２０６ａ上及び上記導電膜の配線上には、低融点のフリットガラスを含む絶縁ペーストをスクリーン印刷した後、焼成して形成した絶縁膜２１２が設けられている。電子放出層２２２は、複数のカーボンナノチューブが集合して構成された柱状グラファイトを含む導電膜で構成されており、導電性を有する粘性溶液に柱状グラファイトを分散させたペーストを基板電極２２１上にスクリーン印刷した後、焼成し、その後に表面をレーザ照射して表面の導電性粒子とバインダーと柱状グラファイト中の炭素の多面体粒子とを蒸発させて除去し形成される。この電子放出層２２２は厚さ２０〜１００μｍで、導電膜から露出した柱状グラファイト表面に多数のカーボンナノチューブが均一に分布しており、それぞれのカーボンナノチューブが電子放出源として動作する。なお、柱状グラファイトは、第３の参考例で説明したように先端が開口したカーボンナノチューブが得られるように加工したものを用いてもよい。
【００６０】
グリッドハウジング２０６ｄは、電子放出層２２２を１列分まとめて覆う外形が直方体状のキャップであり、セラミック基板２０６ａ上に所定の列数分搭載されている。このグリッドハウジング２０６ｄは、第１の実施の形態と同じ構成であるので、説明を省略する。基板電極２２１とグリッドハウジング２０６ｄは、セラミック基板２０６ａに設けられた開口部（図示せず）から一部がセラミック基板２０６ａ下面に引き出され、この下面に設けられた対応する電極配線２１１にそれぞれ接続されている。これらの電極配線２１１は、背面パネル２０８と枠状の側板２０１の間から低融点フリットガラス２０３を貫通して真空容器外へ引き出され、プラグ２１６にはめ込まれたリードピン２０９に接続されている。また、カソード構体２０６以外は、第１の実施の形態と同じであるので、説明を省略する。
【００６１】
このように構成される画像管は、まず、外部回路から陽極電極構体２０５に１０ＫＶ程度の高電圧を供給し、Ａｌメタルバック膜２０７にこの高電圧が印加された状態としておく。このような状態において、グリッドハウジング２０６ｄに３００〜５００Ｖの電圧を印加しておき、基板電極２２１に印加する電圧を０Ｖ若しくは負電圧とすると、グリッドハウジング２０６ｄと交差した基板電極２２１上の電子放出層２２２から電子が放出される。電子放出層２２２から放出された電子は、グリッドハウジング２０６ｄのメッシュ状グリッド２０６ｈから引き出され、金属板陽極２０５ｂにより加速されてＡｌメタルバック膜２０７を貫通して蛍光面２０４に衝突し、蛍光面２０４を構成する蛍光体を励起させて蛍光体に応じた発光色で発光する。この発光が前面パネル２０２を透過して前面側から出射され発光表示されることになる。
【００６２】
また、基板電極２２１に印加する電圧をグリッドハウジング２０６ｄに対して等電位若しくは正電位とすると電子ビームが放出されないので発光表示はされない。よって、基板電極２２１に印加する電圧を制御することにより電子ビームの電流を制御して、表示画素の点灯・消灯と点灯時の輝度調節を行うことができるので、各列のグリッドハウジング２０６ｄに順次所定の正電圧が印加されるように走査させるとともに、各行の基板電極２２１に印加する電圧を制御することでマトリクス状に配置された画素の発光を制御して所望のパターンを表示することができる。この場合、選択されていないグリッドハウジング２０６ｄは０Ｖ若しくは負電圧として不要な発光を抑止するようにしておくことは言うまでもない。
【００６３】
この実施の形態によっても、図１３に示すように、開口部２０６ｆ近傍の等電位面２３０が、メッシュ状グリッド２０６ｈに沿うように湾曲するので、開口部２０６ｆの中心線から離れた周辺を通過する電子が開口部２０６ｆの中心線方向に偏向されて、蛍光面２０４に電子ビーム２３１が線状に収束する。このため、蛍光体を励起する電子ビーム２３１の密度が高くなり輝度が向上する。この実施の形態では、電子ビームが線状に収束することにより、きれのよい発光表示と隣接する蛍光体のもれ発光防止が可能となる効果に加えて、フィラメントカソードが不要であるため、構成が簡略化され組立が簡単になるという効果が得られる。
【図面の簡単な説明】
【００６４】
【図１】第１の参考例の構成を示す説明図である。
【図２】図１の作用を説明する図である。
【図３】第２の参考例の構成を示す説明図である。
【図４】図２の作用を説明する図である。
【図５】第３の参考例の構成を示す説明図である。
【図６】図５の作用を説明する図である。
【図７】第４の参考例の構成を示す説明図である。
【図８】図７の作用を説明する図である。
【図９】第１の実施の形態の構成を示す説明図である。
【図１０】第１の実施の形態の構成を示す部分断面図である。
【図１１】図１０の作用を説明する図である。
【図１２】第２の実施の形態の構成を示す部分断面図である。
【図１３】図１２の作用を説明する図である。
【図１４】従来の画像管の構成を示す説明図である。
【符号の説明】
【００６５】
１０１…ガラスバルブ、１０２…フェースガラス、１０３，２０３，２１５…低融点フリットガラス、１０４，２０４…蛍光面、１０５，２０５…陽極電極構体、１０５ａ…リング状陽極、１０５ｂ…円筒状陽極、１０５ｃ…Ｂａゲッター、１０６，２０６…カソード構体、１０６ａ，２０６ａ…セラミック基板、１０６ｂ，２０６ｂ…背面電極、１０６ｃ，２０６ｃ…フィラメントカソード、１０６ｄ，２０６ｄ…グリッドハウジング、１０６ｅ，１０６ｈ，２０６ｈ…メッシュ状グリッド、１０６ｆ，２０６ｆ…開口部、１０６ｉ…スペーサ、１０６ｊ…フィラメントサポート、１０７，２０７…Ａｌメタルバック膜、１０７ａ…接触片、１０８…ステムガラス、１０８ａ…排気管、１０９ａ，１０９ｂ，１０９ｃ，１０９ｄ，１０９ｅ，１０９ｆ，２０９…リードピン、１１０，２１０…陽極リード、１１１ｂ，１１１ｃ，１１１ｄ，１１１ｅ，１１１ｆ…カソードリード、１２１…柱状グラファイト、１２１ａ…カーボンナノチューブ、１２２…導電性接着剤、１２６，２２１…基板電極、１３０，２３０…等電位面、１３１，２３１…電子ビーム、２０２…前面パネル、２０１…側板、２０４Ｂ…青色発光蛍光体層、２０４Ｇ…緑色発光蛍光体層、２０４Ｒ…赤色発光蛍光体層、２０５ｂ…金属板陽極、２０８…背面パネル、２１１…電極配線、２１２…絶縁膜、２１３…黒色絶縁層、２１４…陽極配線、２１６…プラグ、２２２…電子放出層。
【図１】
2004214219.tif 000003
【図２】
2004214219.tif 000004
【図３】
2004214219.tif 000005
【図４】
2004214219.tif 000006
【図５】
2004214219.tif 000007
【図６】
2004214219.tif 000008
【図７】
2004214219.tif 000009
【図８】
2004214219.tif 000010
【図９】
2004214219.tif 000011
【図１０】
2004214219.tif 000012
【図１１】
2004214219.tif 000013
【図１２】
2004214219.tif 000014
【図１３】
2004214219.tif 000015
【図１４】
2004214219.tif 000016